(57)【要約】【課題】  取込画像データに付与されたファイル名から、当該取込画像データの内容が容易に分かるようにする。【解決手段】  画像読取部３は、画像原稿から表示画像を取込画像データとして取り込む。記憶部５は、登録画像フォームを記憶する。判別部１９は、取込画像データの画像特徴から画像フォームを識別し、記憶された登録画像フォームと一致するか否か判別する。ファイル名付与部２１は、判別部１９が画像フォームの一致を判別したとき、登録画像フォームに関連付けられた特定情報を含むファイル名を生成して取込画像データに付与する。【選択図】  図１
2010109653.tif 000002
【特許請求の範囲】
【請求項１】
画像原稿から表示画像を読み取り、頁毎の電子的な取込画像データとして取り込む画像読取部と、
所定の登録画像フォームを記憶する記憶部と、
前記取込画像データにおける画像特徴から画像フォームを識別し、前記記憶部に記憶された前記登録画像フォームと一致するか否か判別する判別部と、
この判別部が前記画像フォームの一致を判別したとき、前記登録画像フォームに関連付けられた特定情報を含むファイル名を生成して前記取込画像データに付与するファイル名付与部と、
を具備することを特徴とする画像読取装置。
【請求項２】
前記判別部は、前記取込画像データにおける先頭ページの画像特徴から前記画像フォームを識別する請求項１記載の画像読取装置。
【請求項３】
前記ファイル名付与部は、前記特定情報に加えて、前記取込画像データの取込条件情報を前記ファイル名に付与する請求項１又は２記載の画像読取装置。
【請求項４】
前記ファイル名付与部は、前記特定情報に加えて、前記取込画像データの取込結果情報を前記ファイル名に付与する請求項１〜３いずれか１記載の画像読取装置。
【請求項５】
前記ファイル名付与部は、前記特定情報に加えて、前記取込画像データに係るユーザ情報を前記ファイル名に付与する請求項１〜４いずれか１記載の画像読取装置。
【請求項６】
前記取込画像データに係るサムネイル画像を作成するとともに、前記ファイル名付与部で生成された前記ファイル名および前記サムネイル画像を有するファイル画像データを作成するファイル画像作成部を有する請求項１〜５いずれか１記載の画像読取装置。
【請求項７】
前記請求項１〜６いずれか１記載の画像読取装置を有し、前記読取画像データに基づき画像形成する画像形成装置。
【請求項８】
画像原稿から表示画像を読み取り、頁毎の電子的な取込画像データとして取り込む画像読取工程と、
前記取込画像データにおける画像特徴から画像フォームを識別し、予め記憶部に記憶された登録画像フォームと一致するか否か判別する判別工程と、
この判別部が前記画像フォームの一致を判別したとき、前記登録画像フォームに関連付けられた特定情報を含むファイル名を生成して前記取込画像データに付与するファイル名付与工程と、
を具備することを特徴とする画像読取方法。
【請求項９】
前記判別工程は、前記取込画像データにおける先頭ページの画像特徴から前記画像フォームを識別する請求項８記載の画像読取方法。
【請求項１０】
前記ファイル名付与工程は、前記特定情報に加えて、前記取込画像データの取込条件情報を前記ファイル名に付与する請求項８又は９記載の画像読取方法。
【請求項１１】
前記ファイル名付与工程は、前記特定情報に加えて、前記取込画像データの取込結果情報を前記ファイル名に付与する請求項８〜１０いずれか１記載の画像読取方法。
【請求項１２】
前記ファイル名付与工程は、前記特定情報に加えて、前記取込画像データに係るユーザ情報を前記ファイル名に付与する請求項８〜１１いずれか１記載の画像読取方法。
【請求項１３】
前記取込画像データに係るサムネイル画像を作成するとともに、前記ファイル名付与工程で生成された前記ファイル名および前記サムネイル画像を有するファイル画像データを作成するファイル画像作成工程を有する請求項８〜１２いずれか１記載の画像読取方法。
【請求項１４】
画像原稿から表示画像を読み取った電子的な取込画像データにファイル名を付与制御する制御用コンピュータに対し、
前記画像原稿から表示画像を読み取って頁毎の前記取込画像データとして取り込む画像読取処理と、
前記取込画像データにおける画像特徴から画像フォームを識別し、予め記憶部に記憶された登録画像フォームと一致するか否か判別する判別処理と、
この判別処理が前記画像フォームの一致を判別したとき、前記登録画像フォームに関連付けられた特定情報を含むファイル名を生成して前記取込画像データに付与するファイル名付与処理と、
を実行させることを特徴とする画像読取プログラム。
【発明の詳細な説明】
【技術分野】
【０００１】
本発明は画像読取装置、画像形成装置、画像読取方法および画像読取プログラムに係り、例えば、スキャナ装置等の画像読取装置、この機能を搭載した複写機、複合機（ＭＦＰ：Multi Function Peripheral）等の画像形成装置、これに用いる画像読取方法および画像読取プログラムの改良に関する。
【背景技術】
【０００２】
従来、画像読取装置においては、紙の原稿をスキャンして得た画像データを内蔵記憶部に保存したりネットワークを介して外部のコンピュータに送信する場合、ユーザが当該装置に付属のキーボード等からファイル名を入力付与して特定可能にする必要がある。
【０００３】
もっとも、ユーザが原稿から画像をスキャンして画像データを得る都度、ファイル名を入力付与するのは煩雑であるため、その装置特有のヘッダ情報とそれに続けて通し番号を自動的に付与する機能が搭載される構成が多い。
【０００４】
ところが、装置特有のヘッダ情報および通し番号を自動的にファイル名とした場合、そのファイル名から画像データの内容を推測することが困難であるため、保存された日時等、画像データの属性情報から当たりをつけて開かなければならないが、スキャンして画像データを取得した直後であれば内容特定が容易であるものの、数時間後に確認する場合にはファイル特定に時間を要し、操作性を低下させ易い。
【０００５】
そこで、特開２００４−１４０５５１号公報（特許文献１）のネットワーク画像通信装置が提案されている。
【０００６】
この特許文献１は、送信原稿の所定領域に記録されている図形文字を読み取ってファイル名を作成し、例えば、元の原稿作成時に付与されたファイル名を自動的に送信画像データのファイル名として付与ができるようにしたものである。
【０００７】
また、特開２００７−１１７４１号公報（特許文献２）の画像管理装置および画像形成装置も提案されている。
【０００８】
この特許文献２は、読み取った画像データから文字情報と配置情報とを抽出し、抽出した文字情報と配置情報とを画像データに対応付けて記憶し、抽出した文字情報や配置情報に一致又は類似する文字情報や配置情報が既に記憶部に記憶されているか否かを検索し、一致又は類似する文字情報や配置情報が記憶されている場合、当該文字情報と配置情報を読み取った画像データから抽出した文字情報と配置情報に置換する構成を有し、重複した画像データ登録を抑制可能にしたものである。
【０００９】
さらに、特開２００２−７４３２１号公報（特許文献３）の画像読取装置も提案されている。
【００１０】
この特許文献３は、画像読取部により原稿を走査して画像を読み取り、その原稿の予め設定されたファイル名領域に手書きされたファイル名を文字認識し、文字認識されたファイル名を付してその画像データを保存すべくホストコンピュータに送出する構成を有し、保存すべき画像データに適切なファイル名を付して保存可能にしたものである。
【００１１】
さらにまた、特開２００６−２１１２６１号公報（特許文献４）の画像読取り装置も提案されている。
【００１２】
この特許文献４は、画像読取り手段で読み取った読取り画像から認識手段にて文字を認識して文字データを出力し、その認識手段による認識結果から、出現頻度の高い文字列を原稿に対するファイル名として登録手段にて登録し、付加すべきファイル名を選び出す手間を省略するとともに、ユーザによるファイル名の選択のばらつきを低減できるようにしたものである。
【特許文献１】特開２００４−１４０５５１号公報
【特許文献２】特開２００７−１１７４１号公報
【特許文献３】特開２００２−７４３２１号公報
【特許文献４】特開２００６−２１１２６１号公報
【発明の開示】
【発明が解決しようとする課題】
【００１３】
しかしながら、上述した特許文献１〜４では、ファイル名を入力する手間が省略できるものの、所定領域の文字情報、手書きの文字情報、更に、出現頻度の高い文字情報をファイル名に使用するから、ユーザや原稿毎に付与方法が異なり易くなったり、文字認識精度が低いと意味不明のファイル名となり易く、内容が推測し難くなり、却って内容の推測に手間が掛かる難点があり、改善が望まれていた。
【００１４】
そこで、本発明者は、読み取る原稿や画像読取装置について鋭意観察検討を加えた結果、読み取る原稿には、例えば実験仕様書、実験レポート、報告書、請求書、納品書のように文字、罫線（罫線枠）、図形等の画像配置が予め決まっている画像フォームが多く、当該画像フォームにはこれに関連したタイトル名称（特定情報）である「実験仕様書」、「実験レポート」等が付与される点に着目し、本発明を完成させた。
【００１５】
本発明はそのような課題を解決するためになされたもので、読み取られた画像データに付すファイル名から当該画像データの内容特定が容易で、構成の簡単な画像読取装置、画像形成装置、画像読取方法および画像読取プログラムの提供を目的とする。
【課題を解決するための手段】
【００１６】
そのような課題を解決するために本発明の請求項１に係る画像読取装置は、画像原稿から表示画像を読み取り、頁毎の電子的な取込画像データとして取り込む画像読取部と、所定の登録画像フォームを記憶する記憶部と、その取込画像データにおける画像特徴から画像フォームを識別し、その記憶部に記憶された登録画像フォームと一致するか否か判別する判別部と、この判別部が画像フォームの一致を判別したとき、その登録画像フォームに関連付けられた特定情報を含むファイル名を生成して取込画像データに付与するファイル名付与部と、を具備している。
【００１７】
本発明の請求項２に係る画像読取装置は、上記判別部が、その取込画像データにおける先頭ページの画像特徴からその画像フォームを識別する構成を有している。
【００１８】
本発明の請求項３に係る画像読取装置は、上記ファイル名付与部が、その特定情報に加えて、その取込画像データの取込条件情報を上記ファイル名に付与する構成を有している。
【００１９】
本発明の請求項４に係る画像読取装置は、上記ファイル名付与部が、その特定情報に加えて、その取込画像データの取込結果情報を上記ファイル名に付与する構成を有している。
【００２０】
本発明の請求項５に係る画像読取装置は、上記ファイル名付与部が、その特定情報に加えて、その取込画像データに係るユーザ情報を上記ファイル名に付与する構成を有している。
【００２１】
本発明の請求項６に係る画像読取装置は、上記取込画像データに係るサムネイル画像を作成するとともに、上記ファイル名付与部で生成されたファイル名およびそのサムネイル画像を有するファイル画像データを作成するファイル画像作成部を有している。
【００２２】
本発明の請求項７に係る画像形成装置は、それら請求項１〜５いずれか１記載の画像読取装置を具備し、その読取画像データに基づき画像形成する構成を有している。
【００２３】
本発明の請求項８に係る画像読取方法は、画像原稿から表示画像を読み取り、頁毎の電子的な取込画像データとして取り込む画像読取工程と、その取込画像データにおける画像特徴から画像フォームを識別し、その記憶部に記憶された登録画像フォームと一致するか否か判別する判別工程と、この判別部が画像フォームの一致を判別したとき、その登録画像フォームに関連付けられた特定情報を含むファイル名を生成してその取込画像データに付与するファイル名付与工程と、を具備している。
【００２４】
本発明の請求項９に係る画像読取方法は、上記判別工程が、その取込画像データにおける先頭ページの画像特徴からその画像フォームを識別する構成を有している。
【００２５】
本発明の請求項１０に係る画像読取方法は、上記ファイル名付与工程が、その特定情報に加えて、その取込画像データの取込条件情報を上記ファイル名に付与する構成を有している。
【００２６】
本発明の請求項１１に係る画像読取方法は、上記ファイル名付与工程が、その特定情報に加えて、その取込画像データの取込結果情報を上記ファイル名に付与する構成を有している。
【００２７】
本発明の請求項１２に係る画像読取方法は、上記ファイル名付与工程が、その特定情報に加えて、その取込画像データに係るユーザ情報を上記ファイル名に付与する構成を有している。
【００２８】
本発明の請求項１３に係る画像読取方法は、その取込画像データに係るサムネイル画像を作成するとともに、そのファイル名付与工程で生成されたファイル名およびサムネイル画像を有するファイル画像データを作成するファイル画像作成工程を有している。
【００２９】
本発明の請求項１４に係る画像読取プログラムは、画像原稿から表示画像を読み取った電子的な取込画像データにファイル名を付与制御する制御用コンピュータに対し、その画像原稿から表示画像を読み取って頁毎の前記取込画像データとして取り込む画像読取処理と、その取込画像データにおける画像特徴から画像フォームを識別し、予め記憶部に記憶された登録画像フォームと一致するか否か判別する判別処理と、この判別処理が画像フォームの一致を判別したとき、その登録画像フォームに関連付けられた特定情報を含むファイル名を生成して取込画像データに付与するファイル名付与処理と、を実行させるものである。
【発明の効果】
【００３０】
このような本発明の請求項１、８に係る画像読取装置および画像読取方法では、画像原稿から表示画像を読み取って頁毎の電子的な取込画像データを取り込み、この取込画像データにおける画像特徴から画像フォームを識別し、予め記憶された登録画像フォームと一致するか否か判別し、その一致を判別したとき、その登録画像フォームに関連付けられた特定情報を含むファイル名を生成してその取込画像データに付与するから、予め登録画像フォームが記憶されていれば、読取画像データの内容特定が容易なファイル名を当該読取画像データに付すことが可能で、構成も簡素化し易い。
【００３１】
本発明の請求項２、９に係る画像読取装置および画像読取方法は、その取込画像データにおける先頭ページの画像特徴から画像フォームを識別するから、読み取られた画像データの特徴フォームを識別し易く、動作処理が高速化される。
【００３２】
本発明の請求項３、１０に係る画像読取装置および画像読取方法は、その特定情報に加えて、その取込画像データの取込条件情報を上記ファイル名に付与するから、画像データに付すファイル名からより内容特定が簡単になる。
【００３３】
本発明の請求項４、１１に係る画像読取装置および画像読取方法は、その特定情報に加えて、その取込画像データの取込結果情報を上記ファイル名に付与するから、画像データに付すファイル名からより内容特定が簡単になる。
【００３４】
本発明の請求項５、１２に係る画像読取装置および画像読取方法は、その特定情報に加えて、その取込画像データに係るユーザ情報を上記ファイル名に付与するから、画像データに付すファイル名からより内容特定が簡単になる。
【００３５】
本発明の請求項６、１３に係る画像読取装置および画像読取方法は、そのファイル名付与工程で生成されたファイル名にサムネイル画像を付加したファイル画像データを作成するから、ファイル画像データの印刷や表示を介して取込画像データの内容特定が簡単になる。
【００３６】
本発明の請求項７に係る画像形成装置は、それら画像読取装置を有し、その読取画像データに基づき画像形成するから、上述した同様の効果を得ることが可能である。
【発明を実施するための最良の形態】
【００３７】
以下、本発明に係る画像読取装置、画像形成装置、画像読取方法および画像読取プログラムの実施の形態を図面を参照して説明する。なお、本発明に係る画像読取装置、画像読取方法および画像読取プログラムは本発明の画像形成装置を説明する過程で説明する。
【００３８】
図１は本発明に係る画像形成装置Ａの構成を示す概略ブロック図である。
【００３９】
画像形成装置Ａは、図１に示すように、主制御部１を中心にして画像読取部３、記憶部５、操作パネル部７、印刷部９および通信部１１等を有し、例えば複合機を構成している。なお、画像形成装置Ａとしてはこれ以外にも種々の構成を有するが、本発明の要部ではないので説明および図示を省略する。
【００４０】
主制御部１は、画像読取部３、記憶部５、操作パネル部７、印刷部９および通信部１１を制御するシステムコントローラであるが、詳細は後述する。
【００４１】
画像読取部３は、例えば図２の画像形成装置Ａにおいて、本体ケース１３の上部に配置され、主制御部１の制御の下、例えば印刷された紙の原稿から表示画像を光学的に読み込み、フィルタ処理等をして電子的画像データを生成する公知のスキャナ等であり、生成した画像データが原稿の頁毎に記憶部５に順次記憶されるようになっている。画像形成装置Ａの内部構成については後述する。
【００４２】
図１に戻って、記憶部５は、画像読取部３や通信部１１からの画像データ、主制御部１の動作プログラムの他、後述する登録画像フォーム、この登録画像フォームに関連付けられた特定情報（特定名称）、サムネイル画像、部署や個人の識別符号等ユーザ認証情報、図示しない動作画面等を格納する読み書き可能な例えばハードディスク（ＨＤＤ）である。登録画像フォーム、サムネイル画像およびユーザ認証情報については後述する。
【００４３】
操作パネル部７は、図２の画像形成装置Ａの本体ケース１３の上部に配置され、画像形成装置Ａの動作状態を表示する表示部と、タッチスイッチ式の入力部を兼ねるもので、主制御部１の制御の下、印刷する印刷媒体である用紙の選択、印刷の実行又は中止等の指示入力部としての機能を有している。
【００４４】
操作パネル部７は、例えば図３に示すように、印刷（コピー）処理、プリンタ処理、スキャナ処理、ファクシミリ送受信処理等の種々の操作指示や選択をする選択キー７ａの他、それらの操作に係る設定項目やユーザ認証情報を入力する公知の例えばテンキー７ｂ、スタートキー７ｃの他、装置の動作状況を表示する表示パネル部７ｄ等を有するタッチ式キーボードを有している。入力情報は主制御部１に出力され、上述した保存サムネイル画像データおよびファイル名等が表示パネル部７ｄに表示される。
【００４５】
印刷部９は、図２の画像形成装置Ａの本体ケース１３内に配置され、主制御部１の制御の下、画像データから展開した印刷画像イメージデータに基づくトナー像を用紙に転写定着する画像形成部としてのカラー又はモノクロ印刷エンジンである。詳細は後述する。
【００４６】
図１の通信部１１は、主制御部１の制御の下、ネットワーク１５を介して例えば情報処理装置（コンピュータ）１７との間で、画像や文書を含む画像データを所定のプロトコルで送受信し、受信した画像データを頁毎に記憶部５に順次記憶するインターフェース部である。
【００４７】
主制御部１は、ＣＰＵ、このＣＰＵの起動プログラムを格納したメモリ部、作業用メモリ部、入出力インターフェース（いずれも図示せず。）を有し、上述した画像読取部３、記憶部５、操作パネル部７、印刷部９および通信部１１を制御するとともに、判別部１９、ファイル名付与部２１およびファイル画像作成部２３としての機能を有している。
【００４８】
判別部１９は、画像読取部３から取り込んだ取込画像データにおける画像特徴から画像フォームを識別し、記憶部５に登録された登録画像フォームと一致するか否か判別する機能を有している。
【００４９】
例えば、画像読取部３から取り込む原稿が、図４に示すように、第１頁において表題が「実験仕様書」と表示された複数頁を有する一方、登録画像フォームが図５に示すように、横長方形の比較領域が上側から複数段配列され、上段に表題として罫線枠とともに「実験仕様書」と表示された態様のものとして記憶部５に記憶されていた場合、判別部１９は、取り込んだ取込画像データの第１頁の上段から、登録画像フォームの上段の比較領域毎に画像特徴を比較して画像フォームを識別し、登録画像フォームのそれと一致するか否か判別する機能を有している。
【００５０】
それら画像フォームの一致、不一致は、例えばパターンマッチング法のように従来公知の認識手法で、判別可能である。
【００５１】
ファイル名付与部２１は、判別部１９が画像フォームの一致を判別したとき、所定の通し番号に加えて、スキャンする前の取込条件情報やスキャン結果である取込結果情報を付加するとともに、登録画像フォームに関連付けられた特定情報、例えばタイトル名称「実験仕様書」を含むファイル名を生成して取込画像データに付与する機能を有している。
【００５２】
取込条件情報としては、例えば、ユーザの所属部署名や部署コードといった部署情報、ユーザ個人名やコードといったユーザ情報、モノクロ／カラー設定、解像度設定、ページレイアウト設定があり、取込結果情報としては、例えばスキャン日時、スキャン枚数、取込ファイル形式情報（ｐｄｆ）等がある。
【００５３】
例えば、図３中の操作パネル部７の表示パネル部７ｄには、１０頁の実験仕様書という原稿を、通し番号「ＳＣＡＮ０００１」、名称「実験仕様書」、解像度「６００ｄｐｉ」、レイアウト設定「２ｉｎ１」、頁数「５ページ」、ファイル形式「ｐｄｆ」で、「２００ｘ年ｘ月ｘｘ日」にカラースキャンする設定条件が表示され、これがファイル名として付与される。
【００５４】
ファイル画像作成部２３は、取込画像データに係るサムネイル画像を作成するとともに、ファイル名付与部２１で生成されたファイル名およびサムネイル画像からファイル画像データを作成する機能を有している。
【００５５】
図６は、上述した図３の表示パネル部７ｄに表示された設定条件で生成され付与されたファイル名およびサムネイル画像からなるファイル画像データを印刷部９で印刷した結果を示すものである。
【００５６】
主制御部１は、ファイル名の付与された取込画像データを記憶部５に記憶させたり、通信部１１、ネットワーク１５を介して情報処理装置１７の図示しない内蔵記憶部に送信記憶制御する機能、ファイル名およびサムネイル画像を有するファイル画像データを印刷部９や操作パネル部９に出力して印刷制御や表示制御する機能を有している。
【００５７】
主制御部１は、操作パネル部７から入力したユーザ情報と記憶部５に予め記憶されたユーザ認証情報とを比較し、双方が一致したときユーザ認証されたとして、画像形成装置Ａの諸機能を実行制御する機能を有している。
【００５８】
上述した図２は、画像形成装置Ａの内部構成を示す概略図である。
【００５９】
図２において、画像形成装置Ａの本体ケース１３の下部には、複数の給紙段２５ａ、２５ｂに加え、これらの給紙段２５ａ、２５ｂから１次給紙された用紙を２次給紙する搬送部に、画像データからトナー画像にして転写して画像形成する転写部２７、転写した画像を定着する定着部２９等が配置され、上述した印刷部９が配置されている。なお、符号３１は、片面に画像が転写定着された用紙を両面印刷用に表裏反転させて転写部２７に戻す反転搬送部であり、印刷部９を形成している。
【００６０】
本体ケース１３の側面上部には、印刷部９で印刷された印刷用紙が排紙される排紙トレイ３３が複数個配置されている。
【００６１】
本体ケース１３の上部には、上述した画像読取部３および操作パネル部７が配置されており、主制御部１、記憶部５、判別部９および通信部１１が本体ケース１３内部の適当な位置に電子回路を形成して配置されている。
【００６２】
次に、本発明に係る画像形成装置Ａにおける画像読取装置の動作を図７および図８のフローチャートを参照して説明する。なお、記憶部５には、予め、登録画像フォームが記憶されているとして説明する。
【００６３】
プログラムが開始されると、ステップＳ１にて操作パネル部７からユーザ情報を受け付けて主制御部１が認証処理し、ステップＳ２にて画像読取部３が原稿のセットを受け付け、ステップＳ３にて操作パネル部７がスキャン設定情報を受け付け、ステップＳ４にて操作パネル部７からスキャン（画像読取工程）開始が指示されると、ステップＳ５にて判別部１９が登録画像フォームの有無を判別する。
【００６４】
記憶部５中に登録画像フォームが記憶されていてステップＳ５がＹＥＳであれば、ステップＳ６に移って登録画像フォーム判別処理、例えばフラグを立てる処理を実行してステップＳ７に移る。ステップＳ６の登録画像フォーム判別処理の詳細は後述する。
【００６５】
登録画像フォームが記憶されておらずにステップＳ５がＮＯであれば、ステップＳ８にて判別部１９が登録画像フォーム判別結果「なし」、例えばその表示処理を実行し、ステップＳ７に移る。
【００６６】
ステップＳ７では、主制御部１が画像読取部３におけるスキャン（画像読取工程）終了を検出し、ステップＳ９にてファイル名付与部２１が取込画像データに対してファイル名付与工程を処理し、ステップＳ１０にて主制御部１がファイル名の付与された取込画像データを情報処理装置１７へ送信処理し、ステップＳ１１にて印刷部９がスキャン結果を印刷処理し、図示しない処理ステップに移る。なお、ステップＳ９のファイル名付与処理は後述する。
【００６７】
上述したステップＳ６の登録画像フォーム判別処理は、図８Ａに示すようになされる。
【００６８】
すなわち、図７のステップＳ５からステップＳ６１にて判別部１９が記憶部５から登録画像フォームを順次読み出し、ステップＳ６２にて判別部１９が取込画像データに対して登録画像フォームを領域単位で比較し、ステップＳ６３にて判別部１９が画像フォームが一致するか否か判別する。
【００６９】
一致する画像フォームがあってステップＳ６３がＹＥＳであれば、ステップＳ６４にて登録画像フォーム判別結果「有」の処理をして図７のステップＳ７に移る。
【００７０】
全画像フォームが不一致でステップＳ６３がＮＯであれば、ステップＳ６５にて判別部１９が全登録画像フォームの比較が完了か否か判別し、全登録画像フォームとの比較が完了してステップＳ６５がＹＥＳであれば、ステップＳ６６にて判別結果「なし」の処理をして図７のステップＳ７に移り、全登録画像フォームが完了しておらずにステップＳ６５がＮＯであれば、ステップＳ６１に戻って次の登録画像フォームとの判別処理に移る。
【００７１】
上述したステップＳ９のファイル名付与処理は、図８Ｂに示すようになされる。
【００７２】
すなわち、図７のステップＳ７からステップＳ９１にてファイル名付与部２１が通し番号付与処理し、ステップＳ９２にてファイル名付与部２１が認証情報を付与処理し、ステップＳ９３にてファイル名付与部２１が登録画像フォーム判別結果の有無を判別する。
【００７３】
登録画像フォーム判別結果「有」があってステップＳ９３がＹＥＳであれば、ステップＳ９４にてファイル名付与部２１が登録画像フォームに関連付けられた特定情報「実験仕様書」を付与し、ステップＳ９５にてファイル名付与部２１が取込条件情報および取込結果情報を付加し、図７のステップＳ１０に移る。
【００７４】
登録画像フォーム判別結果がなくてステップＳ９３がＮＯであれば、直接、ステップＳ９５に移る。
【００７５】
これらの処理が、本発明の画像読取方法の主要部に該当するとともに、本発明の画像読取プログラムによって実行される。なお、その処理プログラムは、製造時に記憶部５に格納されていたり、ＵＳＢメモリやＣＤ−ＲＯＭ等の外部記憶媒体に格納されて供給される。
【００７６】
このように本発明の画像読取装置は、画像原稿から表示画像を読み取り、頁毎の電子的な取込画像データとして取り込む画像読取部３と、所定の登録画像フォームを記憶する記憶部５と、その取込画像データにおける先頭ページの画像特徴から画像フォームを識別し、その記憶部５に記憶された登録画像フォームと一致するか否か判別する判別部１９と、この判別部１９が画像フォームの一致を判別したとき、その登録画像フォームに関連付けられた特定情報に加えて、その取込画像データの取込条件情報および取込結果情報を含むファイル名を生成して取込画像データに付与するファイル名付与部２１とを具備している。
【００７７】
そのため、予め登録画像フォームが記憶されていれば、その取込画像データにおける先頭ページの画像特徴から画像フォームを識別し、登録画像フォームのタイトル名をファイル名にして付与するから、読み取られた画像データに付すファイル名から当該画像データの内容特定が容易であるし、読み取られた画像データの画像特徴フォームを識別し易く、構成も簡素化容易で動作処理も高速化される。
【００７８】
しかも、その特定情報に加えて、その取込画像データの取込条件情報や取込結果情報を上記ファイル名に付与するから、画像データに付すファイル名から内容特定がより一層簡単になる。
【００７９】
そして、本発明の画像読取装置では、その特定情報に加えて、その取込画像データに係るユーザ情報を上記ファイル名に付与するから、画像データに付すファイル名からより内容特定が簡単になる。ユーザ情報としては、部署名や使用者名又はこれらのコード等の識別符号で実施可能である。
【００８０】
さらに、本発明の画像読取装置では、その取込画像データに係るサムネイル画像を作成するとともに、そのファイル名付与工程で生成されたファイル名およびサムネイル画像を有するファイル画像データを作成するから、ファイル画像データの印刷や表示を介して取込画像データのファイル名から内容特定が簡単になる利点がある。
【００８１】
そして、本発明の画像読取装置において、取込画像データと登録画像フォームとの一致、不一致の判別は、取込画像データの先頭ページの画像特徴から識別する構成に限定されないが、先頭ページに画像的特徴が存在する例が多いから、先頭ページの画像特徴から識別すれば、処理が高速化される。
【００８２】
もし、先頭ページの画像特徴から識別できないとき、順次、次ページ以降で識別することになる。しかも、複数の登録画像フォームに一致する判別結果が得られたときは、最も多い画像一致の得られた登録画像フォームのタイトル名称等の特定情報をファイル名に付加することが好ましい。
【００８３】
なお、登録画像フォームの特定情報は、そのタイトル名称に限定されず、予め登録画像フォームの特定情報としてこれに関連付けて記憶設定しておく構成も可能である。
【００８４】
ところで、本発明に係る画像形成装置、画像読取方法および画像形成プログラムにおいても、上述した画像読取装置と同様の効果を得ることが可能である。
【図面の簡単な説明】
【００８５】
【図１】本発明に係る画像読取装置を搭載した画像形成装置の実施の形態を示すブロック図である。
【図２】本発明に係る画像形成装置の内部構成を示す概略構成図である。
【図３】本発明に係る画像形成装置の操作パネル部を説明する図である。
【図４】本発明に係る画像形成装置の動作を説明する図である。
【図５】本発明に係る画像形成装置の動作を説明する図である。
【図６】本発明に係る画像形成装置の動作を説明する図である。
【図７】本発明に係る画像形成装置の動作を説明するフローチャートである。
【図８】本発明に係る画像形成装置の動作を説明するフローチャートである。
【符号の説明】
【００８６】
１  主制御部（システムコントローラ）
３  画像読取部
５  記憶部
７  操作パネル部（入力部、表示部）
９  印刷部
１１  通信部
１３  本体ケース
１５  ネットワーク
１７  情報処理装置（コンピュータ）
１９  判別部
２１  ファイル名付与部
２３  ファイル画像作成部
２５ａ、２５ｂ  給紙段
２７  転写部
２９  定着部
３１  反転搬送部
３３  排紙トレイ
Ａ  画像形成装置
【図１】
2010109653.tif 000003
【図２】
2010109653.tif 000004
【図３】
2010109653.tif 000005
【図４】
2010109653.tif 000006
【図５】
2010109653.tif 000007
【図６】
2010109653.tif 000008
【図７】
2010109653.tif 000009
【図８】
2010109653.tif 000010